(57)【特許請求の範囲】
【請求項１】
筐体と、
前記筐体の内側に設けられた基板と、
前記筐体の内側で前記基板に接続され、且つ電解液を貯留する筒状部を有する電解コンデンサーと、
前記筒状部の一端部に設けられた防爆弁と、
前記筐体の内側に設けられ、前記筒状部の他端部から前記一端部に向かう方向である第一方向側から、隙間を空けて前記防爆弁に対向する第一対向壁と、
前記第一方向とは反対の第二方向へ前記第一対向壁から延び、前記筒状部の周面の少なくとも一部に隙間を空けて対向する第二対向壁と、
前記第二対向壁に設けられ、前記筒状部の軸線から離隔する方向へ凹む凹部、又は、前記筒状部の前記軸線に近接する方向へ突出する凸部を含む特定部位とを備え、
前記第一対向壁は、前記筒状部の前記軸線から離隔する方向の端部である周端部を有し、
前記周端部の少なくとも一部は、前記軸線から前記筒状部の前記周面までの最短距離よりも、前記軸線を基準とした径方向において前記軸線から離隔した位置に配置されることを特徴とする印刷装置。
【請求項２】
筐体と、
前記筐体の内側に設けられた基板と、
前記筐体の内側で前記基板に接続され、且つ電解液を貯留する筒状部を有する電解コンデンサーと、
前記筒状部の一端部に設けられた防爆弁と、
前記筐体の内側に設けられ、前記筒状部の他端部から前記一端部に向かう方向である第一方向側から、隙間を空けて前記防爆弁に対向する第一対向壁と、
前記第一方向とは反対の第二方向へ前記第一対向壁から延び、前記筒状部の周面の少なくとも一部に隙間を空けて対向する第二対向壁と、
前記第二対向壁に設けられ、前記筒状部の軸線から離隔する方向へ凹む凹部、又は、前記筒状部の前記軸線に近接する方向へ突出する凸部を含む特定部位とを備え、
前記第一対向壁から前記防爆弁までの最短の距離は、０よりも長く、且つ、前記筒状部の外径の１／２以下であることを特徴とする印刷装置。
【請求項３】
筐体と、
前記筐体の内側に設けられた基板と、
前記筐体の内側で前記基板に接続され、且つ電解液を貯留する筒状部を有する電解コンデンサーと、
前記筒状部の一端部に設けられた防爆弁と、
前記筐体の内側に設けられ、前記筒状部の他端部から前記一端部に向かう方向である第一方向側から、隙間を空けて前記防爆弁に対向する第一対向壁と、
前記第一方向とは反対の第二方向へ前記第一対向壁から延び、前記筒状部の周面の少なくとも一部に隙間を空けて対向する第二対向壁と、
前記第二対向壁に設けられ、前記筒状部の軸線から離隔する方向へ凹む凹部、又は、前記筒状部の前記軸線に近接する方向へ突出する凸部を含む特定部位とを備え、
前記第一対向壁は、前記軸線から離隔するにつれて前記第二方向に向かう方向に傾斜する傾斜部を有し、
前記第二対向壁は、前記傾斜部の前記第二方向の端部から、前記第二方向へ延びることを特徴とする印刷装置。
【請求項４】
筐体と、
前記筐体の内側に設けられた基板と、
前記筐体の内側で前記基板に接続され、且つ電解液を貯留する筒状部を有する電解コンデンサーと、
前記筒状部の一端部に設けられた防爆弁と、
前記筐体の内側に設けられ、前記筒状部の他端部から前記一端部に向かう方向である第一方向側から、隙間を空けて前記防爆弁に対向する第一対向壁と、
前記第一方向とは反対の第二方向へ前記第一対向壁から延び、前記筒状部の周面の少なくとも一部に隙間を空けて対向する第二対向壁と、
前記第二対向壁に設けられ、前記筒状部の軸線から離隔する方向へ凹む凹部、又は、前記筒状部の前記軸線に近接する方向へ突出する凸部を含む特定部位とを備え、
前記筐体は、
前記基板と直交する特定の方向に向けて開口する開口端部を有する第一筐体と、
前記第一筐体に接続し、前記開口端部を閉塞する第二筐体と
を備え、
前記開口端部は、前記筒状部に対して前記第一方向と平行な方向に並ぶ位置にある第一部位を含むことを特徴とする印刷装置。
【請求項５】
前記第一対向壁は、前記筒状部の前記軸線から離隔する方向の端部である周端部を有し、
前記周端部の少なくとも一部は、前記軸線から前記筒状部の前記周面までの最短距離よりも、前記軸線を基準とした径方向において前記軸線から離隔した位置に配置されることを特徴とする請求項２から４のいずれかに記載の印刷装置。
【請求項６】
前記第一対向壁から前記防爆弁までの最短の距離は、０よりも長く、且つ、前記筒状部の外径の１／２以下であることを特徴とする請求項１、３、４のいずれかに記載の印刷装置。
【請求項７】
前記第一対向壁は、前記軸線から離隔するにつれて前記第二方向に向かう方向に傾斜する傾斜部を有し、
前記第二対向壁は、前記傾斜部の前記第二方向の端部から、前記第二方向へ延びることを特徴とする請求項１、２、４のいずれかに記載の印刷装置。
【請求項８】
前記特定部位は、前記凸部を含み、
前記凸部は、互いに異なる方向を向く二つの面を接続する第一角部を含むことを特徴とする請求項１から４のいずれかに記載の印刷装置。
【請求項９】
前記凸部は、前記軸線と交差する方向に沿って直線状に延び、且つ前記第一方向と平行な方向に沿って間隔を空けて複数並んで設けられることを特徴とする請求項１から４のいずれかに記載の印刷装置。
【請求項１０】
前記基板は、前記筒状部と前記第一対向壁のそれぞれに対して、前記基板に直交する一方向側で、前記軸線に対して平行に延び、
前記第二対向壁は、前記電解コンデンサーの前記筒状部に対して、前記一方向とは反対方向側に配置された第一特定壁を備えたことを特徴とする請求項１から４のいずれかに記載の印刷装置。
【請求項１１】
前記第二対向壁は、前記電解コンデンサーの前記筒状部に対して、前記第一方向と前記一方向のそれぞれと直交する方向側に配置された第二特定壁を備えたことを特徴とする請求項１０に記載の印刷装置。
【請求項１２】
前記第二方向側から隙間を空けて前記筒状部の前記他端部に対向する第三対向壁を備えたことを特徴とする請求項１から４のいずれかに記載の印刷装置。
【請求項１３】
前記筐体は、
前記基板と直交する特定の方向に向けて開口する開口端部を有する第一筐体と、
前記第一筐体に接続し、前記開口端部を閉塞する第二筐体と
を備え、
前記開口端部は、前記筒状部に対して前記第一方向と平行な方向に並ぶ位置にある第一部位を含むことを特徴とする請求項１から３のいずれかに記載の印刷装置。
【発明の詳細な説明】
【技術分野】
【０００１】
本発明は、印刷装置に関する。
【背景技術】
【０００２】
従来、テープカセットを収容する筐体を備えた印刷装置が知られている。例えば、特許文献１に開示の印刷装置の筐体は、本体、上カバー、及びカセットカバーを含む。本体は、テープカセットを収容する。上カバーは、本体の上側に配置され、カセットカバーは、本体の下側に配置される。本体内部の上カバー側には、基板が設けられる。基板には、印刷装置の動作を制御する制御回路が搭載される。
【先行技術文献】
【特許文献】
【０００３】
【特許文献１】特開２０１４−１９４８７４号公報
【発明の概要】
【発明が解決しようとする課題】
【０００４】
基板に電解コンデンサーが搭載されることが考えられる。電解コンデンサーには、防爆弁が設けられる。電解コンデンサーの内部の圧力が所定の値を超えると、防爆弁は破裂する。しかしながら、上記印刷装置では、防爆弁が破裂した場合において、電解コンデンサーの内部に貯留されていた電解液が、筐体の内側で飛散する虞がある。
【０００５】
本発明の目的は、電解コンデンサーの電解液が筐体の内側で飛散しにくい印刷装置を提供することである。
【課題を解決するための手段】
【０００６】
本発明の第一態様に係る印刷装置は、筐体と、前記筐体の内側に設けられた基板と、前記筐体の内側で前記基板に接続され、且つ電解液を貯留する筒状部を有する電解コンデンサーと、前記筒状部の一端部に設けられた防爆弁と、前記筐体の内側に設けられ、前記筒状部の他端部から前記一端部に向かう方向である第一方向側から、隙間を空けて前記防爆弁に対向する第一対向壁と、前記第一方向とは反対の第二方向へ前記第一対向壁から延び、前記筒状部の周面の少なくとも一部に隙間を空けて対向する第二対向壁と、前記第二対向壁に設けられ、前記筒状部の軸線から離隔する方向へ凹む凹部、又は、前記筒状部の前記軸線に近接する方向へ突出する凸部を含む特定部位とを備え、前記第一対向壁は、前記筒状部の前記軸線から離隔する方向の端部である周端部を有し、前記周端部の少なくとも一部は、前記軸線から前記筒状部の前記周面までの最短距離よりも、前記軸線を基準とした径方向において前記軸線から離隔した位置に配置されることを特徴とする。
本発明の第二態様に係る印刷装置は、筐体と、前記筐体の内側に設けられた基板と、前記筐体の内側で前記基板に接続され、且つ電解液を貯留する筒状部を有する電解コンデンサーと、前記筒状部の一端部に設けられた防爆弁と、前記筐体の内側に設けられ、前記筒状部の他端部から前記一端部に向かう方向である第一方向側から、隙間を空けて前記防爆弁に対向する第一対向壁と、前記第一方向とは反対の第二方向へ前記第一対向壁から延び、前記筒状部の周面の少なくとも一部に隙間を空けて対向する第二対向壁と、前記第二対向壁に設けられ、前記筒状部の軸線から離隔する方向へ凹む凹部、又は、前記筒状部の前記軸線に近接する方向へ突出する凸部を含む特定部位とを備え、前記第一対向壁から前記防爆弁までの最短の距離は、０よりも長く、且つ、前記筒状部の外径の１／２以下であることを特徴とする。
本発明の第三態様に係る印刷装置は、筐体と、前記筐体の内側に設けられた基板と、前記筐体の内側で前記基板に接続され、且つ電解液を貯留する筒状部を有する電解コンデンサーと、前記筒状部の一端部に設けられた防爆弁と、前記筐体の内側に設けられ、前記筒状部の他端部から前記一端部に向かう方向である第一方向側から、隙間を空けて前記防爆弁に対向する第一対向壁と、前記第一方向とは反対の第二方向へ前記第一対向壁から延び、前記筒状部の周面の少なくとも一部に隙間を空けて対向する第二対向壁と、前記第二対向壁に設けられ、前記筒状部の軸線から離隔する方向へ凹む凹部、又は、前記筒状部の前記軸線に近接する方向へ突出する凸部を含む特定部位とを備え、前記第一対向壁は、前記軸線から離隔するにつれて前記第二方向に向かう方向に傾斜する傾斜部を有し、前記第二対向壁は、前記傾斜部の前記第二方向の端部から、前記第二方向へ延びることを特徴とする。
本発明の第四態様に係る印刷装置は、筐体と、前記筐体の内側に設けられた基板と、前記筐体の内側で前記基板に接続され、且つ電解液を貯留する筒状部を有する電解コンデンサーと、前記筒状部の一端部に設けられた防爆弁と、前記筐体の内側に設けられ、前記筒状部の他端部から前記一端部に向かう方向である第一方向側から、隙間を空けて前記防爆弁に対向する第一対向壁と、前記第一方向とは反対の第二方向へ前記第一対向壁から延び、前記筒状部の周面の少なくとも一部に隙間を空けて対向する第二対向壁と、前記第二対向壁に設けられ、前記筒状部の軸線から離隔する方向へ凹む凹部、又は、前記筒状部の前記軸線に近接する方向へ突出する凸部を含む特定部位とを備え、前記筐体は、前記基板と直交する特定の方向に向けて開口する開口端部を有する第一筐体と、前記第一筐体に接続し、前記開口端部を閉塞する第二筐体とを備え、前記開口端部は、前記筒状部に対して前記第一方向と平行な方向に並ぶ位置にある第一部位を含むことを特徴とする。
【０００７】
上記構成によれば、破裂した防爆弁から電解液が放出された場合であっても、電解液は、第一対向壁と第二対向壁とによって、筐体の内側での飛散を妨げられる。また、第二対向壁に特定部位が設けられるので、第二対向壁を伝って移動する電解液の移動距離が長くなる。従って、電解液は特定部位に留まり易い。よって、電解コンデンサーの電解液が筐体の内側で飛散しにくい印刷装置が、実現される。
【図面の簡単な説明】
【０００８】
【図１】テーププリンタ１の斜視図である。
【図２】第一壁部２２Ａを省略した筐体２の斜視図である。
【図３】前筐体２１の斜視図である。
【図４】後筐体２２の斜視図である。
【図５】収容部７０の断面図である。
【図６】防爆弁６０が破裂した直後の収容部７０の断面図である。
【図７】第一電解液５５Ａが第二延設壁９２を伝う収容部７０の断面図である。
【図８】特定部位８０の変形例である特定部位１８０の断面図である。
【図９】後筐体２２の変形例である後筐体２２２の斜視図である。
【図１０】後筐体２２の変形例である後筐体３２２の斜視図である。
【図１１】後筐体３２２の別の斜視図である。
【発明を実施するための形態】
【０００９】
本発明の第一実施形態であるテーププリンタ１を説明する。以下の説明では、図１の上側、下側、右上側、左下側、左上側、及び右下側を、それぞれ、テーププリンタ１の前側、後側、上側、下側、左側、及び右側と定義する。
【００１０】
図１、図２を参照し、テーププリンタ１の概略構成を説明する。テーププリンタ１は筐体２を備える。筐体２は、平面視、上下方向に長い略矩形状である。筐体２は、前後方向に厚みを有し、角部が丸みを帯びた箱状である。筐体２の内部には、プリント基板４（図３参照）、印刷機構１２、及びテープ装着部１３が設けられる。プリント基板４には、テーププリンタ１の各種動作を司るＣＰＵ４１（図３参照）が設けられる。プリント基板４の詳細については、後述する。
【００１１】
印刷機構１２は、サーマルヘッド９及び搬送ローラ１９等を含む。サーマルヘッド９と搬送ローラ１９は、略左右方向に互いに対向して配置される。サーマルヘッド９は、印刷媒体に印刷を実行する印刷手段の一例である。サーマルヘッド９は、矩形状の板状部材であり、通電されることで発熱する発熱素子（図示略）を複数含む。
【００１２】
搬送ローラ１９は、前後方向に延びる回転軸（図示略）を中心に回転駆動可能である。搬送ローラ１９は、筐体２の内部に設けられた搬送モータに連結する。サーマルヘッド９と搬送モータは、プリント基板４のＣＰＵ４１（図３参照）に電気的に接続する。テープ装着部１３は、背面視で略矩形状に形成された、後方に向けて開口する開口部である。テープ装着部１３には、略直方体状に形成された箱状のテープカセット８が離脱可能に装着される。
【００１３】
テープカセット８は、一例として、サーマルタイプの印刷媒体であるテープ（図示略）を収容する。テープの一方の面は、サーマルヘッド９の加熱によって発色する印刷面であり、テープの他方の面は、接着剤が塗布されて剥離紙が貼り付けられた面である。
【００１４】
テープの印刷面がサーマルヘッド９に対向して接触するように、サーマルヘッド９と搬送ローラ１９はテープを挟み込む。ＣＰＵ４１（図３参照）は、サーマルヘッド９の発熱素子への通電を制御しながら、搬送モータを駆動制御する。これにより、サーマルヘッド９はテープの印刷面にキャラクタを正像印刷し、搬送ローラ１９は、キャラクタが印刷されたテープを、筐体２の上部に設けられた排出口１８に向けて搬送する。キャラクタは、例えば、文字、数字、図形、又は記号等である。
【００１５】
図１、図４を参照し、筐体２を説明する。尚、図２では後述の第一壁部２２Ａの図示を省略する。筐体２は樹脂製である。  筐体２は、前筐体２１、及び後筐体２２を備える。前筐体２１は、筐体２の前壁と、筐体２の上壁、下壁、左壁、及び右壁のそれぞれの前側部分とを含む。前筐体２１の後方向の端部は、開口端部２１Ａである。以下、開口端部２１Ａの右下部と左下部とを、いずれも、「第一部位２１Ｂ」（図３参照）という。二つの第一部位２１Ｂは、間を空けて左右方向に並ぶ。
【００１６】
後筐体２２は、第一壁部２２Ａ（図１参照）を含む。第一壁部２２Ａは、後筐体２２の後部を形成する略矩形状の板状である。第一壁部２２Ａは、テープ装着部１３と印刷機構１２を後方から覆う。後筐体２２の前方向の端部は、開口端部２２Ｂである。開口端部２２Ｂの形状は、平面視で、開口端部２１Ａの形状に一致する。開口端部２２Ｂが開口端部２１Ａに接続することによって、筐体２の内部は閉塞される。
【００１７】
図１、図３に示すように、前筐体２１は、入力部３２及び表示部２７を有する。入力部３２は、前筐体２１の前壁の下部である。入力部３２は、複数のボタンを含む。テーププリンタ１は、入力部３２を介して種々の指示の入力を受け付ける。表示部２７は、前筐体２１の前壁のうち入力部３２よりも上側の部分である。表示部２７は、透明又は半透明な樹脂によって板状に形成された窓部２７Ａを含む。窓部２７Ａは、前筐体２１の前壁を前後方向に貫通する貫通孔（図示略）に嵌め込まれる。窓部２７Ａの下側（即ち、前筐体２１の内側）には、液晶ディスプレイ５が配置される。液晶ディスプレイ５は、左右方向に長い略矩形状である。液晶ディスプレイ５の前面（図示略）は、窓部２７Ａに対向する。液晶ディスプレイ５の前面には、液晶表示素子が配置される。液晶ディスプレイ５は、ＣＰＵ４１に電気的に接続する。ＣＰＵが液晶ディスプレイ５の前面に表示させる情報は、窓部２７Ａを介して筐体２の外部から視認可能である。
【００１８】
図３に示すように、前筐体２１の内側且つ液晶ディスプレイ５の後下側には、プリント基板４が配置される。プリント基板４は、底面視で上下方向に長い矩形状であり、前筐体２１の開口端部２１Ａよりも前方に配置される。プリント基板４の材料は、ガラスエポキシ、紙フェノール、及びコンポジットである。プリント基板４の左右方向の長さは、液晶ディスプレイ５の左右方向の長さよりも長い。プリント基板４の後面の下部には、所定の静電容量を有する電解コンデンサー５０が設けられる。電解コンデンサー５０は、例えば、プリント基板４に実装された回路に流れる電流を補うためのコンデンサーである。
【００１９】
電解コンデンサー５０は、筒状部５１と二本の導線５３を有する。筒状部５１は、左右方向に沿う姿勢でプリント基板４の後面に設けられる。換言すると、プリント基板４は、筒状部５１に対して前方から対向する。筒状部５１は、二つの第一部位２１Ｂの間に配置される。筒状部５１は内部に電解液５５（図６参照）を貯留する。筒状部５１の軸線Ｐ（図５参照）は、左右方向に延びる。軸線Ｐは、開口端部２１Ａの下部及び開口端部２２Ｂ（図４参照）の下部と、略同じ前後方向位置に配置される。従って、筒状部５１は、前後方向において、前筐体２１の下部と後筐体２２の下部とが互いに接続する位置を跨ぐ範囲に形成される。
【００２０】
筒状部５１は、軸線Ｐを基準とした周方向に延びる周面５１Ａを有する。筒状部５１の左端部は一端部５１Ｂであり、筒状部５１の右端部は他端部５１Ｃである。二本の導線５３は、夫々、他端部５１Ｃとプリント基板４の後面とを接続する。二本の導線５３がプリント基板４に接続される位置は、他端部５１Ｃよりも右方に離隔する。
【００２１】
筒状部５１の一端部５１Ｂには、防爆弁６０が設けられる。防爆弁６０は、左側面視で略円形状である。防爆弁６０の左端部は、筒状部５１の内部を閉塞する閉塞部６１である。閉塞部６１には、軸線Ｐを基準とした周方向に沿って略等間隔に配置された四つの溝部が配置される。四つの溝部は、夫々、直線状に延び且つ左方に向けて開口する。閉塞部６１のうちで、軸線Ｐを基準とした周方向に沿って互いに隣り合う二つの溝部の間にある部位は、シールド部６２である。シールド部６２は、軸線Ｐを基準とした周方向に沿って四つ並んで設けられる。シールド部６２は、略左右方向に厚さを有する板状であり、軸線Ｐに向かう程先細る扇形状である。
【００２２】
図４、図５を参照し、電解コンデンサー５０の筒状部５１を収容する収容部７０を説明する。図５は、収容部７０の上下方向中心を下方から見た断面図である。図５では、図面を見易くする都合、電解コンデンサー５０に対するハッチングと、後述の第三延設壁９３（図４参照）とを省略している（図６〜図８も同様）。収容部７０は、正面視で左右方向に長い箱状であり、前方に向けて開口する。収容部７０は、後筐体２２と一体的に形成される。収容部７０は、第一対向壁７１、第二対向壁７２、特定部位８０、及び第三対向壁７３を含む。
【００２３】
第一対向壁７１は、左右方向に厚さを有する板状であり、防爆弁６０の閉塞部６１に対して左方から隙間を空けて対向する。第一対向壁７１は、プリント基板４に対して隙間を空けて後方に配置される。第一対向壁７１の前後方向及び上下方向における略中心部には、軸線Ｐが通過している。第一対向壁７１の右面うち、軸線Ｐよりも後側にある部位は、傾斜部７１Ａである。傾斜部７１Ａは、後方に向かうにつれて右方向に向かう方向に傾斜する。換言すると、傾斜部７１Ａは、軸線Ｐから離隔するにつれて右方向に向かう方向に傾斜する。
【００２４】
第一対向壁７１のうちで、軸線Ｐを基準とした径方向（以下、「径方向」という）における端部は、周端部７１Ｂである。径方向は、軸線Ｐと直交し且つ軸線Ｐから離隔する方向である。周端部７１Ｂは、後端部７１Ｃ、下端部７１Ｄ、及び上端部７１Ｅを含む。後端部７１Ｃは、第一対向壁７１の後端部であり、下端部７１Ｄは、第一対向壁７１の下端部であり、上端部７１Ｅは、第一対向壁７１の上端部である。
【００２５】
本例では、周端部７１Ｂと軸線Ｐとの径方向における最大距離は、後端部７１Ｃと軸線Ｐとの径方向における距離であり、寸法Ｍに相当する。寸法Ｍは、筒状部５１の外径（寸法Ｄに相当）の１／２よりも長い。換言すると、周端部７１Ｂの少なくとも一部は、軸線Ｐから周面５１Ａまでの最短の距離よりも、軸線Ｐを基準とした径方向において離隔した位置に配置される。
【００２６】
本例では、第一対向壁７１から防爆弁６０までの最短の距離は、後端部７１Ｃと閉塞部６１との左右方向における距離であり、寸法Ｌに相当する。寸法Ｌは、筒状部５１の外径（寸法Ｄに相当）の１／２以下である。換言すると、第一対向壁７１から防爆弁６０までの最短の距離は、０よりも長く、且つ、筒状部５１の外径の１／２以下である。
【００２７】
第二対向壁７２は、第一対向壁７１の後端部７１Ｃ、下端部７１Ｄ、及び上端部７１Ｅから右方に延びる壁部である。第二対向壁７２は、第一延設壁９１、第二延設壁９２、及び第三延設壁９３を含む。
【００２８】
第一延設壁９１は、第一対向壁７１の後端部７１Ｃから右方へ延びる略矩形状の板状である。第一延設壁９１は、電解コンデンサー５０を間にしてプリント基板４（図３参照）と前後方向に並ぶ。第一延設壁９１は、筒状部５１の周面５１Ａの後部に対して、隙間を空けて後方から対向する。
【００２９】
第二延設壁９２は、第一対向壁７１の下端部７１Ｄから右方へ延びる略矩形状の板状である。第二延設壁９２は、第一延設壁９１の下端部に接続する。第三延設壁９３は、第一対向壁７１の上端部７１Ｅから右方へ延びる略矩形状の板状である。第三延設壁９３は、第一延設壁９１の上端部に接続する。第二延設壁９２と第三延設壁９３は、電解コンデンサー５０の筒状部５１を間にして上下方向に並ぶ。
【００３０】
特定部位８０は、第一延設壁９１に設けられる。本例の特定部位８０は、第一延設壁９１の前面から前方へ突出する格子状の凸部である。即ち、特定部位８０は、上下方向に延び且つ左右方向に間隔を空けて並ぶ複数の縦凸部８１と、左右方向に延び且つ上下方向に間隔を空けて並ぶ複数の横凸部８２とを含む。従って、互いに隣り合う二つの縦凸部８１と、互いに隣り合う二つの横凸部８２との間には、正面視で矩形状の窪み部８５（図５参照）が形成される。尚、図５では、横凸部８２の図示を省略している。
【００３１】
縦凸部８１は、前後方向に沿う第一面８１Ａ、第一面８１Ａの前端から右方へ延びる第二面８１Ｂ、及び、第二面８１Ｂの右端から後方へ延びる第三面８１Ｃを含む。第一面８１Ａと第三面８１Ｃは互いに平行である。第二面８１Ｂが向く方向は、第一面８１Ａが向く方向に対して直交する。以下、縦凸部８１のうちで、第一面８１Ａと第二面８１Ｂとが接続される部位を、第一角部８７といい、第二面８１Ｂと第三面８１Ｃとが接続される部位を、第二角部８８という。
【００３２】
第三対向壁７３は、第二対向壁７２の下端部に接続する略矩形状の板状である。第三対向壁７３は、筒状部５１の他端部５１Ｃに対して、隙間を空けて右方から対向する。即ち、第三対向壁７３は、筒状部５１を間にして第一対向壁７１と左右方向に並ぶ。第三対向壁７３の前端部の上下方向中央部には、後方へ凹む凹部である配線凹部７３Ａが設けられる。配線凹部７３Ａの内側には、電解コンデンサー５０の二本の導線５３（図３参照）が挿通されている。導線５３とプリント基板４との接続部は、第三対向壁７３よりも右側（即ち収容部７０の外側）にある。
【００３３】
図４、図６、及び図７を参照し、防爆弁６０が破裂する場合を説明する。筒状部５１の内部の圧力が、突発的な要因によって所定の値を超えたときに、閉塞部６１が裂けることで、防爆弁６０は破裂する。防爆弁６０が破裂する場合において、テーププリンタ１は、例えば右方が鉛直方向と一致する姿勢で配置される。
【００３４】
防爆弁６０が破裂する場合、四つのシールド部６２は、夫々、径方向の端部を基端として、左方に向けて変形する。四つのシールド部６２のうちで軸線Ｐ側の部位が変形に伴って互いに離隔する。四つのシールド部６２の軸線Ｐ側の部位は、第一対向壁７１よりも右方となる位置で、静止する。四つのシールド部６２の軸線Ｐ側の部位は、第一対向壁７１に接触してもよい。
【００３５】
四つのシールド部６２が互いに離隔することによって、筒状部５１を閉塞していた閉塞部６１が裂け、筒状部５１の内部は開放される。筒状部５１に貯留されていた電解液５５は、例えばガス状になって、筒状部５１の内部から左方に向けて放出される（図６参照）。放出された電解液５５は、例えば、第一対向壁７１に接触して冷却され液化する。
【００３６】
第一対向壁７１で液化した電解液５５は、第一電解液５５Ａ、第二電解液（図示略）、及び第三電解液（図示略）を含む。第一電解液５５Ａは、第一対向壁７１の傾斜部７１Ａを伝って後方へ移動する（図６参照）。第一電解液５５Ａは、第一対向壁７１の後端部７１Ｃを経由し、第一延設壁９１の前面を伝って右方へ移動する。第一電解液５５Ａは、複数の縦凸部８１及び複数の横凸部８２を経由し、第一延設壁９１と第三対向壁７３の接続部に向けて移動する。これにより、第一電解液５５Ａは、複数の窪み部８５、及び、第一延設壁９１と第三対向壁７３の接続部に溜まる（図７参照）。従って、防爆弁６０の破裂に伴って放出される電解液５５は、収容部７０の外側に飛散しにくい。尚、複数の縦凸部８１を経由する第一電解液５５Ａは、各縦凸部８１の第一角部８７及び第二角部８８を伝う。これにより、複数の縦凸部８１を伝って移動する第一電解液５５Ａの移動距離は、増大する。
【００３７】
第二電解液は、第一延設壁９１の下端部７１Ｄ（図４参照）を経由し、第二延設壁９２（図４参照）を伝って右方へ移動する。第二電解液は、第三対向壁７３と第二延設壁９２の接続部に留まる（図示略）。第三電解液は、第一延設壁９１の上端部７１Ｅ（図４参照）を経由し、第三延設壁９３（図４参照）を伝って右方に移動する。第三電解液は、第三対向壁７３と第三延設壁９３の接続部に溜まる。
【００３８】
尚、筒状部５１から放出されるガス状の電解液５５が、第一対向壁７１に接触して冷却され液化する場合の他、ガス状の電解液５５がプリント基板４に接触して冷却され液化する場合、及び、ガス状の電解液５５が第一延設壁９１の特定部位８０に接触して冷却され液化する場合があってもよい。
【００３９】
以上、説明したように、破裂した防爆弁６０から電解液５５が左方に放出された場合であっても、電解液５５は、第一対向壁７１と第二対向壁７２の第一延設壁９１とによって、収容部７０の外側への飛散を妨げられる。また、第一延設壁９１の前面に特定部位８０が設けられるので、第一延設壁９１の前面を伝って右方に移動する電解液５５の移動距離が長くなる。従って、電解液５５は、特定部位８０に溜まり易い。よって、電解コンデンサー５０の電解液５５が、筐体２の内側で飛散しにくいテーププリンタ１が実現される。また、電解液５５が収容部７０の外側へ飛散しにくいので、電解液５５は、液晶ディスプレイ５に到達しにくい。よって、テーププリンタ１は、液晶ディスプレイ５が故障する可能性を低減できる。
【００４０】
周端部７１Ｂの少なくとも一部は、軸線Ｐを基準とした径方向において、軸線Ｐから周面５１Ａまでの最短の距離よりも、離隔した位置に配置される。これにより、防爆弁６０から放出される電解液５５は、周端部７１Ｂよりも径方向側へ飛散しにくく、第一対向壁７１に接触し易い。
【００４１】
第一対向壁７１から防爆弁６０までの最短の距離は、０よりも長く、且つ、筒状部５１の外径の１／２以下である。これにより、第一対向壁７１から防爆弁６０までの最短の距離が短くなるので、防爆弁６０から放出される電解液５５は、第一対向壁７１に更に接触し易い。
【００４２】
第一対向壁７１は、傾斜部７１Ａを含む。第一対向壁７１で液化した電解液５５は、傾斜部７１Ａを伝って後方へ移動し易い。よって、電解液５５は、収容部７０の外側に飛散しにくくなると共に、プリント基板４に接触しにくい。
【００４３】
縦凸部８１は、第一角部８７と第二角部８８を含む。縦凸部８１を経由して右方に移動する第一電解液５５Ａは、第一角部８７と第二角部８８に沿って移動する。これにより、第一電解液５５Ａが第一延設壁９１を伝って移動する距離が増大する。よって、第一電解液５５Ａは、第一延設壁９１の前面に留まり易くなる。
【００４４】
横凸部８２は、上下方向に直線状に延び、且つ左右方向に沿って間隔を空けて複数並んで設けられる。これにより、第一延設壁９１の前面の表面積が増大し、第一延設壁９１を伝う第一電解液５５Ａの移動距離は増大する。よって、第一電解液５５Ａは、第一延設壁９１の前面に更に留まり易くなる。
【００４５】
第二対向壁７２は第一延設壁９１を備える。第一延設壁９１は、電解コンデンサー５０の筒状部５１に対して、プリント基板４とは反対側から対向する。この場合、第一対向壁７１に接触して液化した電解液５５が、第一延設壁９１を伝う第一電解液５５Ａを含む。従って、電解液５５は、プリント基板４に対して接触しにくい。
【００４６】
第二対向壁７２は、第二延設壁９２と第三延設壁９３を含む。第二延設壁９２と第三延設壁９３は、上下方向から筒状部５１に対向する。筒状部５１から放出される電解液５５は、第二延設壁９２と第三延設壁９３を伝うことによって、収容部７０の内側に留まり易い。よって、電解液５５は、収容部７０の外側に飛散しにくい。
【００４７】
収容部７０は第三対向壁７３を備える。第一延設壁９１と第三対向壁７３との接続部には、第一電解液５５Ａが留まり、第二延設壁９２と第三対向壁７３との接続部には、第二電解液が留まり、第三延設壁９３と第三対向壁７３との接続部には、第三電解液が留まる。従って、防爆弁６０から放出される電解液５５は、収容部７０の外側に更に飛散しにくい。
【００４８】
筒状部５１は、二つの第一部位２１Ｂの間に配置される。筒状部５１から放出される電解液５５は、収容部７０の外側に飛散しにくい。従って、電解液５５は、二つの第一部位２１Ｂに到達しにくい。よって、テーププリンタ１は、電解液５５が開口端部２１Ａ，２２Ｂの接続部から漏れ出る可能性を低減できる。
【００４９】
上記実施形態において、テーププリンタ１は、本発明の「印刷装置」の一例である。プリント基板４は、本発明の「基板」の一例である。縦凸部８１は、本発明の「凸部」の一例である。第一面８１Ａ，第二面８１Ｂは、本発明の「二つの面」の一例である。第一延設壁９１は、本発明の「第一特定壁」の一例である。第二延設壁９２、第三延設壁９３は、本発明の「第二特定壁」の一例である。前筐体２１は、本発明の「第一筐体」の一例である。後筐体２２は、本発明の「第二筐体」の一例である。右方向は、本発明の「第一方向」の一例である。左方向は、本発明の「第二方向」の一例である。前方向は、本発明の「第三方向」の一例である。後方向は、本発明の「特定の方向」の一例である。
【００５０】
尚、本発明は、上記実施形態に限定されない。第一対向壁７１から防爆弁６０までの最短の距離は、後端部７１Ｃと防爆弁６０の閉塞部６１との左右方向における距離である代わりに、例えば、下端部７１Ｄと閉塞部６１との左右方向における距離であってもよいし、上端部７１Ｅと閉塞部６１との左右方向における距離であってもよい。
【００５１】
周端部７１Ｂと軸線Ｐとの径方向における最大距離は、後端部７１Ｃと軸線Ｐとの径方向における距離である代わりに、例えば、下端部７１Ｄと軸線Ｐとの径方向における距離であってもよいし、上端部７１Ｅと軸線Ｐとの径方向における距離であってもよい。
【００５２】
特定部位８０は、縦凸部８１と横凸部８２を備える代わりに、縦凸部８１又は横凸部８２のいずれか一方を備えていてもよい。縦凸部８１は、第一角部８７と第二角部８８を備える代わりに、第一角部８７又は第二角部８８のいずれか一方を備えていてもよい。また、縦凸部８１は、第一角部８７と第二角部８８をいずれも備えなくてもよい。この場合、縦凸部８１は、例えば、第一延設壁９１から前方に向けて湾曲する形状であってもよい。
【００５３】
特定部位８０は、軸線Ｐに向けて突出する縦凸部８１と横凸部８２を備える代わりに、軸線Ｐから離隔する方向（即ち後方向）に凹む凹部を備えていてもよい。例えば、図８では、特定部位８０の変形例である特定部位１８０を図示する。特定部位１８０には、縦凸部８１と横凸部８２が設けられる代わりに、凹部１８１が設けられる。凹部１８１は、例えば、第一延設壁９１の前面から軸線Ｐから離隔する方向に円弧状に凹む凹部である。凹部１８１は、一例として、第一延設壁９１の前面に、左右方向及び前後方向に沿って等間隔に複数配置される。この場合、第二延設壁９２を伝う電解液５５は、凹部１８１に留まり易い。
【００５４】
収容部７０は、上記実施形態に限定されない。図９では、後筐体２２の変形例である後筐体２２２を示す。後筐体２２２では、後筐体２２と同一の部材については、同一の符号を付与している。後筐体２２２は、収容部７０に代えて収容部２７０を含む。収容部２７０は、第一対向壁７１に代えて第一対向壁２７１を備える。第一対向壁２７１の右面には、前後方向に直線状に延びるリブ２７９が、上下方向に間を空けて複数並んで設けられる。
【００５５】
収容部２７０は、特定部位８０に代えて特定部位２８０を備える。特定部位２８０は、縦凸部８１と横凸部８２に加えて、前後方向に直線状に延びる凸部２８０Ａを備える。凸部２８０Ａは、第二延設壁９２と第三延設壁９３の夫々において、複数設けられる。複数の凸部２８０Ａは、第二延設壁９２と第三延設壁９３の夫々において、左右方向に間を空けて並んで設けられる。
【００５６】
収容部２７０では、第一対向壁２７１の右面、第二延設壁９２の上面、及び第三延設壁９３の下面の夫々の表面積が増大する。従って、筒状部５１から放出されて収容部２７０を伝う電解液５５の移動距離は、増大する。よって、電解液５５は、収容部２７０の内側に留まり易い。
【００５７】
図１０、図１１を参照し、テーププリンタ１の変形例であるテーププリンタ１０１を説明する。図１０、図１１では、テーププリンタ１と同一の部材については、同一の符号を付与している。テーププリンタ１０１は、後筐体２２に代えて後筐体３２２を備える。後筐体３２２の内側には、プリント基板４が設けられる。プリント基板４には、電解コンデンサー５０に代えて電解コンデンサー１５０が設けられる。図１１では、電解コンデンサー１５０を二点鎖線によって図示する。電解コンデンサー１５０は、電解コンデンサー５０同様に、筒状部５１を備える。テーププリンタ１０１の筒状部５１は、前後方向に沿う姿勢で、プリント基板４に接続される。即ち、電解コンデンサー５０の筒状部５１の軸線（図示略）は、前後方向に延びる。本変形例では、筒状部５１の後端部が一端部であり、筒状部５１の前端部が他端部である。筒状部５１の他端部は、プリント基板４に接続される。図示しないが、筒状部５１の一端部には防爆弁６０が設けられる。
【００５８】
後筐体３２２は、収容部７０に代えて収容部３７０を備える。収容部３７０は、第一対向壁３７１、第二対向壁３７２、及び特定部位３８０を含む。第一対向壁３７１は、筒状部５１の一端部に対して、後方から隙間を空けて対向する略矩形状の板状である。第一対向壁３７１の前面には、筒状部５１に向けて突出する凸部３１０が設けられる。凸部３１０は、正面視で格子状である。従って、第一対向壁３７１の前面には、正面視で矩形状の窪み部３１５が形成される。
【００５９】
第二対向壁３７２は、第一対向壁３７１の周端部から右方へ延びる壁である。第二対向壁３７２は、電解コンデンサー１５０の筒状部５１に対して、筒状部５１の軸線を基準とした周方向に亘って、隙間を空けて対向する。第二対向壁３７２は、第一延設壁３９１、第二延設壁３９２、第三延設壁３９３、及び第四延設壁３９４を含む。第一延設壁３９１は、第一対向壁３７１の左端部から前方へ延びる。第一延設壁３９１の後端部３９１Ａは、右方に向かうにつれて前方に向かうよう、湾曲する。第二延設壁３９２は、第一対向壁３７１の右端部から前方へ延び、第三延設壁３９３は、第一対向壁３７１の上端部から前方へ延び、第四延設壁３９４は、第一対向壁３７１の下端部から前方へ延びる。第一延設壁３９１と第二延設壁３９２は、筒状部５１を間にして左右方向に並び、第三延設壁３９３と第四延設壁３９４は、筒状部５１を間にして上下方向に並ぶ。
【００６０】
特定部位３８０は、第一特定部位３８１、及び第二特定部位３８２を含む。第一特定部位３８１は、第一延設壁３９１の後端部３９１Ａから筒状部５１に向けて突出する凸部３８１Ａを含む。凸部３８１Ａは、後端部３９１Ａに沿って湾曲する。凸部３８１Ａは、上下方向に間を空けて複数並んで設けられる。
【００６１】
第二特定部位３８２は、第三延設壁３９３から筒状部５１に向けて（即ち下方へ向けて）突出する凸部３８２Ａを含む。凸部３８２Ａは、前後方向に直線状に延びる。凸部３８２Ａは、左右方向に間を空けて複数並んで設けられる。
【００６２】
テーププリンタ１０１では、電解コンデンサー１５０の防爆弁が破裂した場合において、電解液５５（図６参照）は、第一対向壁３７１に接触して冷却され液化する。液化した電解液５５は、窪み部３１５に留まり易い。また、第一対向壁３７１で液化した電解液５５が、第三延設壁３９３を伝って前方へ移動する場合がある。この場合、第一延設壁３９１へ向かう電解液５５は、互いに隣り合う二つの凸部３８１Ａ間に留まり易く、第三延設壁３９３を伝う電解液５５は、互いに隣り合う二つの凸部３８２Ａの間に留まり易い。よって、テーププリンタ１０１は、筒状部５１から放出された電解液５５を、収容部３７０の外側に飛散しにくくできる。
【符号の説明】
【００６３】
１，１０１        テーププリンタ
２        筐体
４        プリント基板
２１      前筐体
２１Ａ    開口端部
２１Ｂ    第一部位
２２      後筐体
５０，１５０      電解コンデンサー
５１      筒状部
５１Ａ    周面
５１Ｂ    一端部
５１Ｃ    他端部
６０      防爆弁
７０，２７０，３７０      収容部
７１，２７１，３７１      第一対向壁
７１Ａ    傾斜部
７１Ｂ    周端部
７２，３７２      第二対向壁
７３      第三対向壁
８０，１８０，２８０      特定部位
８１      縦凸部
８１Ａ    第一面
８１Ｂ    第二面
８２      横凸部
８７      第一角部
９１      第一延設壁
９２      第二延設壁
９３      第三延設壁
１８１    凹部
２８０Ａ，３８１Ａ，３８２Ａ  凸部
Ｐ        軸線
【図１】
0006418190.tif 000002
【図２】
0006418190.tif 000003
【図３】
0006418190.tif 000004
【図４】
0006418190.tif 000005
【図５】
0006418190.tif 000006
【図６】
0006418190.tif 000007
【図７】
0006418190.tif 000008
【図８】
0006418190.tif 000009
【図９】
0006418190.tif 000010
【図１０】
0006418190.tif 000011
【図１１】
0006418190.tif 000012